(57)【要約】【課題】  雑菌が繁殖しやすい岩盤浴用の石板まわりを、簡単な清掃作業で常に清浄に保つ。【解決手段】  電熱ヒータ１６の上に難錆金属で成形した無蓋のケース体２０を配し、この中に石板３をならべ置く（請求項１）。ケース体の底にあつまった汗を除去して除菌（清掃）することは日常業務としてもきわめて容易である。分割してある石板３を取り除いてケース体２０の内側表面を定期的に清掃するだけで良いからである。ケース体２０は軽量に成形できるのでユニットから取り外して丸洗いすることも出来る。金属は雑菌の繁殖を低減する作用がある。室内の雰囲気温度が高く、かけ湯による加熱があっても、問題となるような雑菌の繁殖を確実に抑えることが出来る。【選択図】    図１
2008194310.tif 000002
【特許請求の範囲】
【請求項１】
電熱ヒータにより石板を加熱する岩盤浴ユニットであって、
電熱ヒータの上に難錆金属で成形した無蓋のケース体を配設するとともに、
石板を、当該ケース体のなかに配することを特徴とする岩盤浴ユニット。
【請求項２】
ケース体は、側壁の上部にフランジを備えることを特徴とする請求項１記載の岩盤浴ユニット。
【発明の詳細な説明】
【技術分野】
【０００１】
本発明は、岩盤浴ユニットに係り、とくに加熱使用する石板の衛生を保つための構造に関する。
【背景技術】
【０００２】
ホテル等の各種の入浴施設で用いる岩盤浴設備は、電熱ヒータや高温水（蒸気を含む）によって石板を加熱し、この石板の上に横臥することで発汗を促すものである。温水に身体を浸ける一般入浴と違って心肺臓器への負担が少なく、高温サウナと違って呼吸器への負担がないため、無理のない発汗による身体のリフレッシュ効果が得られる。
【０００３】
岩盤浴は、天然の温泉地においては古くから知られていた入浴法であるが、これを都市のホテルや入浴施設でも行う試みがなされており、本出願人も、各種施設に導入容易なユニット装置を提案した（特許文献１）。
【０００４】
これは、図３に示すように、ユニット台１に電熱ヒータ２を配し、この電熱ヒータ２の上に石板３を配するものである。電熱ヒータ２からは電磁波が出る。これを防ぐため、電熱ヒータ２を金属によって被覆することによって入浴者への好ましくない影響を最大限に防止するものであった。
【０００５】
このユニット装置は、特殊な床工事などを必要とせず、ユニット台１を設置すれば直ちに岩盤浴の設備ができるという点で優れていおり、数多くの実施がなされている。
【特許文献１】特開２００７−０００４６６
【発明の開示】
【発明が解決しようとする課題】
【０００６】
問題は、岩盤浴設備における雑菌の繁殖である。
【０００７】
岩盤浴設備では、石板３を加熱して使用することから、石板３のまわりに流れ落ちる汗などに起因して雑菌が繁殖しやすい。
【０００８】
特許文献１に示したユニット装置では、石板３は複数に分割しており、電熱ヒータ２は難錆金属によって被覆してあるため、清掃は容易であり、一般的な岩盤浴設備に比べれば衛生上の問題は少ない。
【０００９】
しかしながら、どんなに丁寧に清掃しても、電熱ヒータ２の下の雑菌まで完全に取り除くことは、従業員の日常業務の清掃では難しく、改善の余地を残していた。
【００１０】
そこで、本発明の目的は、雑菌が繁殖しやすい岩盤浴用の石板まわりを、簡単な清掃作業で常に清浄に保つことができるようにする点にある。
【課題を解決するための手段】
【００１１】
前記目的を達成して、課題を解決するため、本発明に係る岩盤浴ユニットは、電熱ヒータの上に難錆金属で成形した無蓋のケース体を配し、この中に石板をならべ置く（請求項１）。
【００１２】
岩盤浴の設備に用いる石板は、取り外しを容易とするため複数に分割してある。従って、石板を取り除いてケースの内側表面を定期的に清掃するだけで、雑菌の繁殖を防止できる。また、ケース体をユニットから取り外して底面の裏側や側壁外周面を丸洗いすることも容易である。
【００１３】
金属は雑菌の繁殖を低減する作用がある。室内の雰囲気温度が高く、かけ湯による加熱があっても、問題となるような雑菌の繁殖は最低限に抑えることが出来る。
【００１４】
請求項２は、ケース体の側壁にフランジを設けるものである。フランジを設けておけば、当該フランジをユニット台の側壁に係着する等、ケース体をユニット台に配設するときの位置決めが容易になり、清掃時にケース体を取り外すときにも把手がわりとなって便利である。また、ケース体の下に水が入りにくくなるため、雑菌の繁殖を効果的に抑える。取り外し清掃の回数を減らすとが出来る利点がある。
【発明の効果】
【００１５】
本発明に係る岩盤浴ユニットによれば、ケース体の内側表面の洗浄も容易であるし、また全体の丸洗いも出来るため、簡単な清掃作業で石板まわりの衛生状態を常に清潔に保つことができる。
【発明を実施するための最良の形態】
【００１６】
図１、図２は、本発明に係る岩盤浴ユニットの実施形態を示すものである。
【００１７】
この岩盤浴ユニットは、ユニット台１０の棚座１１の上に電熱ヒータ１６を配し、この電熱ヒータ１６の上に、ステンレスやアルミニウムや等の難錆金属で成形した無蓋のケース体２０を配設し、このケース体２０の中に石板３を配する。
【００１８】
ユニット台１０は、石板３上面の高さが、腰掛けた状態から横臥しやすい高さ、例えば３０〜６０ｃｍ程度となるよう棚座１１の高さ位置を決めておく。
【００１９】
棚座１１の上には電熱ヒータ１６やケース体２０を配設するので、棚座１１の外周には側壁（枠板）１４を設け、位置決めがしやすく位置ずれを起こしにくい構造としておく。
【００２０】
この実施形態では、側壁１４の上端はケース体２０の上端と略同じ高さとしておく。ケース体２０の上端にフランジ２４を設けて、このフランジ２４を側壁１４の上端に係着させるためである。従って、この実施形態では、石板３の上面は、側壁１４の上端より上に位置する。好ましくは、フランジ２４は、側壁１４の上端に係着させた状態で、水密のためにシーリング（コーキング）し、ねじ等の固定金具１９を用いて固定する。これによって、ケース体２０の裏側には水が入り込まず、水を用いた清掃をしても常に清潔な状態を保つ。
【００２１】
ユニット台１０は、硬質樹脂、木、金属で成形してよい。棚座１１の下部の隙間Ｓには、例えば電熱ヒータ１６その他の電気機器に対する電源設備を設けることが出来る。ちなみに、ユニット台１０の上部にハウジング（図示せず）を設けて独立空間とする場合もあり、そのような場合には照明やタイマ等の各種の電気機器を配設することがあるからである。
【００２２】
電熱ヒータ１６は、水による漏電が起きないものであればどのような種類のものであってもよい。例えば樹脂被覆された抵抗発熱線、あるいは面状発熱体である。図面では、面状発熱体を例示した。
【００２３】
本発明に係る金属製のケース体２０を使用しなかった従来の岩盤浴ユニットでは、電磁波の影響を低減するために面状発熱体をアルミニウム等の金属板で被覆したが、本発明では、金属成形したケース体２０そのものが電磁波を遮断できるので、電熱ヒータ１６に金属被覆を施す必要はない。
【００２４】
ケース体２０は、ユニット台１０の棚座１１の上、側壁１４のなかに収まる大きさに作る。電熱ヒータ１６による加熱を受けて石板３を温めるため、できるだけ電熱性のよい難錆金属を用いて成形する。例えばステンレス、アルミニウム等である。銀、銅のように高価な金属は製造コストの点で難がある。
【００２５】
ケース体２０の金属は、肉薄板を用いてよい。もちろん破損しない程度の一定の剛性が必要であるが、例えば０．５〜０．６ｍｍの肉厚があればよい。重量物である石板３を置くときは、ケース体２０の底面２１は棚座１１によって全体が支持されており、肉薄金属に過度の重量負担はかからない。また肉薄とすることによって、電熱ヒータ１６の加熱による変形も抑えることができる。
【００２６】
ケース体２０の側壁２２の上面には、フランジ（鍔）２４を設け、このフランジ２４を、ユニット台１０の側壁１４上端に係着する。この実施形態では、ケース体２０の側壁２２の外周全体にフランジ２４を設けてある。水や汗が下にまわりこまないよう全周にフランジ２４を設けて防水機能をもたせるためである。
【００２７】
石板３の表面温度は、例えば４０〜５５℃前後とするのが好ましい。このため、電熱ヒータ１６の表面温度は例えば６０〜６３℃程度に制御する。石板３を複数に分けてあるのは、取り外しや装着の取り扱い易さを良好にするためである。この実施形態では石板３を三つ用いているが、石板３の大きさや数は適宜増減できる。なお石板３は、例えばモルタルを用いて板状に成形することが出来る。
【００２８】
従って、かかる岩盤浴ユニットによれば、ステンレス等の金属で成形したケース体２０のなかに石板３を配するので、いつでも石板３を取り外してケース体２０を清掃することが可能となり、雑菌が繁殖しやすい石板３まわりを常に清浄に保つことができる。ケース体２０は、フランジ２４を水密にシーリングして固定してケース体２０の側壁２２の上面に固定してあるので、通常の清掃時は、ケース体２０の内面だけを除菌清掃すればよい。なお、ケース体２０は軽量体であるから、取り外して底面や側壁の外側を丸洗いすることも出来る。
【００２９】
本発明に係る岩盤浴ユニットは、実施形態のものに限定されない。例えば、フランジの形状は問わない。水平のフランジに限らず断面がL字状のものであってもよい。フランジ２４は、左右両側あるいは外周の一部分にのみ設けてもよい。また、ケース体２０は、フランジ２４を備える必要はない。フランジ２４がないとケース体２０の下に水が回り込みやすくなるが、石板３を納めてあるケース体２０の内部の清浄は保てるからである。
【００３０】
ケース体２０は、複数個の石板３をならべ置くものに限らず、一個の石板３を独立して収納するものでもよい。例えば、三個の石板３を用いるときは、それに見合う容積をもった小型のケース体（２０）を三個用いる。ケース体２０のなかに石板３をまとめて全部収納させる必要はない。
【００３１】
ケース体２０の表面にはコーティング層を設け、人体から出る汗や洗浄時の水や洗浄液による劣化を受けにくくしておくことも出来る。コーティングは、例えばシリコン・フッ素樹脂を利用することが出来る。刷毛を用いて表面に数回塗って自然乾燥させてもよいし、エアーブラシを用いてシリコン・フッ素樹脂を吹き付け高温度で焼き付けにしてもよい。金属コーティングでもよい。
【００３２】
石板３は、粉末状又は顆粒状のラジウム鉱石をモルタルに混入させて固めて成形してもよい。板厚は、例えば１０〜５０ｍｍ程度である。ラジウム鉱石は、半永久的にラドンを放出する。放射線であるラドンは、身体に直接的に与えるホルミーシス効果と、希ガスであるラドンが空気中から利用者の呼吸を通して体内に入って作用する鎮静等の医療効果があるといわれる。
【００３３】
また石板３には、他の効能を与えるため、遠赤外線の放出効果をもつ石材、例えば、いわゆる北海道産のブラックシリカとして知られるシリカ鉱石、あるいは麦飯石を成分中に混入させても良い。これらの石材成分は、遠赤外線（輻射熱）の放出性能に優れ、人体を心地よく温める。また成分中にトルマリンを混入してもよい。トルマリンは、いわゆるマイナスイオンによる血液体液の改善によって心身をリフレッシュさせる効果（血圧の低下作用）があるとされる。
【図面の簡単な説明】
【００３４】
【図１】実施形態に係る岩盤浴ユニットを例示する斜視図である。
【図２】図１の岩盤浴ユニットを断面から例示する図である。
【図３】従来の岩盤浴ユニットを示す斜視図である。
【符号の説明】
【００３５】
３  石板
１０  ユニット台
１１  棚座
１４  （ユニット台の）側壁
１６  電熱ヒータ
１９  固定金具
２０  ケース体
２１  底面
２２  （ケース体の）側壁
２４  フランジ
Ｓ  隙間
【図１】
2008194310.tif 000003
【図２】
2008194310.tif 000004
【図３】
2008194310.tif 000005